(57)【要約】【課題】  本発明はＰＯＳシステムに関し、設置面積が少なくてすみ、また操作性を向上させたＰＯＳシステムを提供することを目的としている。【解決手段】  少なくともタッチパネルディスプレイと、キーボードとを有するハンディ型ＰＯＳ端末２０と、該ハンディ型ＰＯＳ端末２０が取り付けられる取り付け部４０と、前記取り付け部４０にＰＯＳ端末２０が取り付けられるＬ字型の支持機構３０と、該支持機構３０に設けられた商品のバーコードを読み取るスキャナ２５と、前記取り付け部４０の近傍に設けられたレシートプリンタ２２と、前記支持機構３０に取り付けられた自動釣銭・釣札機３２と、から構成され、前記ハンディ型ＰＯＳ端末２０は、Ｌ字型の支持機構３０と着脱可能に構成される。【選択図】    図１
2005242727.tif 000002
【特許請求の範囲】
【請求項１】
少なくともタッチパネルディスプレイと、キーボードとを有するハンディ型ＰＯＳ端末と、
該ハンディ型ＰＯＳ端末が取り付けられる取り付け部と、
前記取り付け部にＰＯＳ端末が取り付けられるＬ字型の支持機構と、
該支持機構に設けられた商品のバーコードを読み取るスキャナと、
前記取り付け部の近傍に設けられたレシートプリンタと、
前記支持機構に取り付けられた自動釣銭・釣札機と、
から構成され、前記ハンディ型ＰＯＳ端末は、Ｌ字型の支持機構と着脱可能に構成されたことを特徴とするＰＯＳシステム。
【請求項２】
前記取り付け部の背面には、各種情報を表示する表示部と、ＩＣカードを用いた非接触カードリーダを設けたことを特徴とする請求項１記載のＰＯＳシステム。
【発明の詳細な説明】
【技術分野】
【０００１】
本発明は商品の取引を行なうＰＯＳシステムに関する。
【背景技術】
【０００２】
スーパーマーケットやコンビニエンスストアでは、商品取引を行ない、精算を行なうためにＰＯＳシステムが用いられる。該ＰＯＳシステムは、商品をスキャナで読み込んで登録を行なう商品登録ユニットと、取引額の精算を行なう会計演算ユニットから構成されている。そして、顧客が購入した商品の登録と精算を行なう。
【０００３】
図７は従来システムの配置例を示す図である。図において、１は商品登録を行なう商品登録ユニット、２は登録された商品の精算を行なう会計演算ユニットである。これら商品登録ユニット１と会計演算ユニット２は、レーン３上に載置される。４，５はカゴ、６はお客、７はオペレータである。商品登録ユニット１は、情報を入力するキーボード、情報を表示する表示装置から構成される。会計演算ユニット２は、自動釣銭、釣札機、購入商品のリストと合計金額をプリントするレシートプリンタ、情報を表示する表示装置から構成される。
【０００４】
このように構成されたシステムにおいて、お客４が購入する商品をカゴ４に入れたものをレーン３上に置くと、オペレータ５はカゴ４に入っている商品を取り出して順次商品登録ユニット１にあてて商品情報の登録を行なう。登録を行なった商品は左側に置かれたカゴ５に入れられる。つまり、右側のカゴ４から商品を取りだして、順次登録を行ない、左側のカゴ５に入れられる。
【０００５】
このような操作を商品の数だけ行なうと、会計演算ユニット２で精算処理を行なう。この時、オペレータ７は横向きになって会計演算ユニット２と対峙する。そして、商品の合計金額が分かると、オペレータ７はお客６からお金を預かり、会計演算ユニット２で精算処理を行なう。預かった金額から釣銭を精算してお客６に渡す。お客は、商品が入ったカゴ５を持って左側に出ていく。
【０００６】
この種のＰＯＳ端末としては、縦型本体にキーボードと固定型スキャナとドロワとをこの順番に上方から下方に向けて各部位に取り付けて形成し、且つ上流側商品置場と下流側商品置場との間に配設されたテーブル上でかつオペレータの立つ位置と反対側の位置にキーボードをオペレータ側に向けた姿勢で取り付け、固定型スキャナを用いてのデータ入力操作とキーボードを用いての精算業務操作とをキャッシャーがそのままの姿勢で連続的に実行できるようにしたものが知られている（例えば特許文献１参照）。
【特許文献１】特開平６−２６６９６１号公報（第２頁、第３頁、図１）
【発明の開示】
【発明が解決しようとする課題】
【０００７】
前述した従来のシステムでは、商品登録ユニット１と会計演算ユニット２の配置の関係で、精算時にはオペレータ７は横を向いて会計演算ユニット２を操作しなければならないので、操作性が悪いという問題があった。また、商品登録ユニット１と会計演算ユニット２の配置の関係で、レーンの幅Ｗが広いため、ＰＯＳシステムの設置面積が広く、効率が悪いという問題があった。
【０００８】
本発明はこのような課題に鑑みてなされたものであって、設置面積が少なくてすみ、また操作性を向上させたＰＯＳシステムを提供することを目的としている。
【課題を解決するための手段】
【０００９】
（１）請求項１記載の発明は、少なくともタッチパネルディスプレイと、キーボードとを有するハンディ型ＰＯＳ端末と、該ハンディ型ＰＯＳ端末が取り付けられる取り付け部と、
前記取り付け部にＰＯＳ端末が取り付けられるＬ字型の支持機構と、該支持機構に設けられた商品のバーコードを読み取るスキャナと、前記取り付け部の近傍に設けられたレシートプリンタと、前記支持機構に取り付けられた自動釣銭・釣札機と、から構成され、前記ハンディ型ＰＯＳ端末は、Ｌ字型の支持機構と着脱可能に構成されたことを特徴とする。
（２）請求項２記載の発明は、前記取り付け部の背面には、各種情報を表示する表示部と、ＩＣカードを用いた非接触カードリーダを設けたことを特徴とする。
【発明の効果】
【００１０】
（１）請求項１記載の発明によれば、通常の使用状態では、ハンディ型ＰＯＳ端末を持ち運び可能なモバイル端末として使用することができ、必要な場合には、Ｌ字型支持機構の取り付け部に取り付けることにより、ＰＯＳシステムのメイン機能として動作させるようにすることができる。本発明によれば、設置面積が少なくてすみ、また操作性を向上させることができる。
（２）請求項２記載の発明によれば、取り付け部の背面側（ＰＯＳシステムの裏側）に表示部とカードリーダを設けることにより、取り引き内容を表示することができ、またキャッシュレスの取り引きを可能にすることができる。
【発明を実施するための最良の形態】
【００１１】
以下、図面を参照して本発明の実施の形態例を詳細に説明する。図１は本発明の一実施の形態例を示す構成図である。図において、２０はハンディ型ＰＯＳ端末である。該ハンディ型ＰＯＳ端末２０は少なくともタッチパネルディスプレイ機能と、キーボード機能とを有している。ハンディ型ＰＯＳ端末２０において、２３はキーボード、２４はタッチパネル・ディスプレイである。
【００１２】
図２はハンディ型ＰＯＳ端末２０の外観構成例を示す図である。図１と同一のものは、同一の符号を付して示す。図において、２３はキーボード、２４は表示部である。該表示部２４としては、例えばタッチパネル搭載のカラー液晶画面が用いられる。２１は内蔵型磁気カードリーダ、２９はＳＳ無線ＬＡＮである。キーボード２３には、操作性を向上させるジョグが設けられている。
【００１３】
図３はハンディ型ＰＯＳ端末の使用の態様を示す図である。（ａ）は一体型レーザースキャナで商品に付されたタグの情報を読み取っている状態を示す。（ｂ）は内蔵型磁気カードリーダでカード情報を読み込んでいる状態を、（ｃ）はキーボードの使用状態を、（ｄ）はタッチパネルの使用状態をそれぞれ示している。
【００１４】
再び図１の説明に戻る。４０はハンディ型ＰＯＳ端末２０を取り付ける取り付け部である。該取り付け部４０とハンディ型ＰＯＳ端末２０とは、電気的接点を介して信号が接続されるようになっている。２２は取り付け部４０の一端に設けられたレシートプリンタである。３０はハンディ型ＰＯＳ端末２０が取り付けられるＬ字型支持機構である。３２は自動釣銭・釣札機であり、前記Ｌ字型支持機構３０に取り付けられている。このような構成とすると、装置の幅Ｗを狭くすることができる。この結果、設置面積を小さくすることができる。
【００１５】
４１はカート、４２は該カート４１を押してレジに来たお客である。４３はＰＯＳシステムの端に配置されているカートである。このように構成されたシステムの動作を説明すれば、以下の通りである。
【００１６】
先ず、ハンディ型ＰＯＳ端末２０を取り付け部４０に取り付け固定する。この状態で、図に示すシステムはＰＯＳシステムとして機能する。ここで、お客４２が商品が入ったカート４１を押してレジに来る。オペレータ（図示せず）は、カート４１に入っている商品を一つずつ取り出してはスキャナ２５でバーコードを読み取らせる。読み取られた商品はカート４３に入れられる。
【００１７】
以上の操作を繰り返して、カート４１に入っている全ての商品の読み取りを終了する。ここで、オペレータがハンディ型ＰＯＳ端末２０のキーボード２３又はタッチパネル２４を押して合計金額の計算を行なわせる。ハンディ型ＰＯＳ端末２０は、取り引き合計を計算し、タッチパネル・ディスプレイ２４に表示させる。
【００１８】
オペレータは、表示された金額をお客から受け取り、自動釣銭・釣札機３２に入れる。釣銭がある場合には、自動釣銭・釣札機３２から釣銭が出てくる。同時に、レシートプリンタ２２で取り引き内容をプリントする。お客４２は、釣銭とレシートを受け取って取り引きから抜け出る。
【００１９】
この実施の形態例によれば、ハンディ型ＰＯＳ端末２０を持ち運び可能なモバイル端末として使用することができ、必要な場合には、Ｌ字型支持機構３０の取り付け部４０に取り付けることにより、ＰＯＳシステムのメイン装置として動作させるようにすることができる。これによれば、設置面積が少なくてすみ、またお客と対面して操作することができるので、操作性がよい。
【００２０】
図４は本発明の一実施の形態例の要部を示す構成図である。この図は、図１に示すＰＯＳシステムを裏側から見た図である。図において、２７はお客側に向けられて設けられた表示部である。この表示部２７には、取り引き情報が表示される。お客はこの表示部２７の表示を見て取り引き内容を確認することができる。２８は非接触でＩＣカードの内容を読み取るＩＣカードリーダである。キャッシュレス取り引きを行なう時に使用する。即ち、取り引き金額が分かると、オペレータはお客からＩＣカードを借り受け、ＩＣカードリーダ２８との間で非接触で情報のやりとりを行なう。そして、お客の氏名、銀行名、口座番号等を読み取る。
【００２１】
図５は本発明の運用例を示す図である。図１、図４と同一のものは、同一の符号を付して示す。図において、１００は本発明に係るＰＯＳシステムである。お客４２はＰＯＳシステム１００に対してＡ側にカート４１を横付けする。オペレータ４５はカート４１に入っている商品を取り出し、スキャナ２５でバーコードの読み取りを行なう。読み取られた商品は反対側のカート４３に入れられる。記憶部（図示せず）内には、読み取ったバーコードに対応する価格が記憶されているので、バーコードから商品を読み取ることで、単価ｙを認識することができ、同じ商品を複数個ｎ個購入した場合には、合計金額ｎ×ｙを計算することができる。
【００２２】
このようにして全ての商品についてのスキャンが終了したら、オペレータ４５はキーボード２３のキー、又はタッチパネル・ディスプレイ２４内のキーを押して精算処理を行なわせる。商品の合計金額が計算され、表示部２４及び２７に表示される。現金で精算を行なう場合には、お客４２からお金を預かり自動釣銭・釣札機３２に入れる。釣銭がある場合には、該自動釣銭・釣札機３２から排出される。同時に、レシートプリンタ２２から取り引き内容がプリントアウトされる。オペレータ４５は、レシートと釣銭を受け取り、商品が入ったカート４３を押して取り引きから抜け出る。
【００２３】
なお、キャッシュレス取り引きを行なう場合には、お客４２からＩＣカードを受け取り、ＩＣカードリーダ２８からお客の氏名、取り引き銀行名、口座番号等を読み取る。そして、読み取ったお客の口座から取引額を自動引き落としすることで精算を行なう。
【００２４】
この実施の形態例によれば、取り付け部４０の背面に表示部とカードリーダを設けることにより、取り引き内容を表示することができ、またキャッシュレスの取り引きを可能にすることができる。
【００２５】
図６は本発明の電気的構成例を示すブロック図である。図１と同一のものは、同一の符号を付して示す。図において１００は本発明に係るＰＯＳシステム（本発明システム）である。該ＰＯＳシステム１００において、５１は全体の動作を制御するＣＰＵである。５２は上位装置（例えばサーバ）と通信を行なう伝送制御回路である。該伝送制御回路５２は、図２の無線ＬＡＮ部２９に対応している。
５３は本発明システムを動作させるプログラムの他、各商品毎の単価が記憶されているＲＯＭ、５４はデータの一時記憶を行なうＲＡＭである。
【００２６】
２４ａはタッチパネルディスプレイ制御回路、２４は該タッチパネルディスプレイ制御回路２４ａで制御されるタッチパネルディスプレイ、２３ａはキーボード制御回路、２３は該キーボード制御回路２３ａで制御されるキーボードである。２８ａはカードリーダの読み込みを制御するカードリーダ制御回路、２９は該カードリーダ制御回路２９ａにより制御されるカードリーダである。該カードリーダ２９としては、例えば非接触式のカードリーダが用いられる。２５ａはスキャナを制御するスキャナ制御回路、２５は該スキャナ制御回路２５ａにより制御されるスキャナである。
【００２７】
２２ａはプリンタ（レシートプリンタ）を制御するプリンタ制御回路、２２は該プリンタ制御回路２２ａにより制御されるプリンタである。３２ａは自動釣銭・釣札機制御回路３２ａ、３２は該自動釣銭・釣札機制御回路３２ａにより制御される自動釣銭・釣札機である。これらタッチパネルディスプレイ制御回路２４ａ、キーボード制御回路２３ａ、カードリーダ制御回路２８ａ、スキャナ制御回路２５ａ、プリンタ制御回路３３ａ、自動釣銭、釣札機３２ａ、伝送制御回路５２、ＲＯＭ５３及びＲＡＭ５４はバス６５に接続されている。
【００２８】
上述したＰＯＳシステムのうち、破線で囲った領域がハンディ型ＰＯＳ端末７０の内部構成を示している。即ち、ＣＰＵ５１、伝送制御回路５２、ＲＯＭ５３、ＲＡＭ５４、バス６５、タッチパネルディスプレイ２４及び制御回路２４ａ、キーボード２３及び制御回路２３ａでハンディ型ＰＯＳ端末７０を構成している。このように構成された回路の動作を説明すれば、以下の通りである。
【００２９】
先ず、お客がカートに入れた商品をＰＯＳシステム１００まで持ってくる。オペレータは、カートから商品を一つずつ取り出してスキャナ２５（図１参照）で読み取らせる。スキャナ２５は、読み取ったバーコードに対応した商品の価格をＲＯＭ５３に記憶されている価格リストから読み取り、ＲＡＭ５４に格納する。このようにして、カートに入った商品をスキャナ２５で読み取る。ＣＰＵ５１は商品の価格と数量から商品の価格を計算し、更に合計金額を計算する。ＲＡＭ５４には、全ての商品の単価と、数量と、全ての商品の合計金額が記憶される。
【００３０】
なお、バーコードが付されていない商品があった時には、オペレータはタッチパネル２４から商品の種類と単価と数量を入力する。ＣＰＵ５１はこれら商品についても同様に金額を計算する。ここで、全ての商品についてのスキャン操作が終了すると、オペレータはキーボード２３から取引終了を入力する。この結果、ＣＰＵ５１はＲＡＭ５４に格納されているデータを読み出し、全ての商品の単価と数量と合計金額をタッチパネル２４及び表示部２７に表示する。
【００３１】
オペレータは、お客から合計金額を預かり、自動釣銭・釣札機３２に入力する。この結果、釣銭があった場合には、ＣＰＵ５１が釣銭を計算し、釣銭を自動釣銭・釣札機３２から排出する。同時に、レシートプリンタ２２から取引結果が印字されたレシートを打ち出す。オペレータは、排出された釣銭とレシートをお客に渡す。この結果、一人のお客についての取引処理は終了する。そして、次のお客についての取引処理を行なっていくことになる。なお、キャッシュレース決済の場合には、カードリーダ２９によりＩＣカードをカードリーダ２９で読み込ませる。また、ポイントカードサービスも運用することができる。
【００３２】
このように、本発明によれば、ハンディ型ＰＯＳ端末２０を取り付け部４０に取り付けることによりＰＯＳシステムとして動作させることができ、オペレータがお客からの商品に対してスキャン処理と取引演算処理を行なうことができる。また、本発明によれば、お客とオペレータが常に対面したまま操作できるので、操作性が向上する。また、本発明によれば、ＰＯＳシステムを小さくすることができるので、ＰＯＳシステムの設置面積を小さくすることができる。
【００３３】
本発明の効果を列挙すれば、以下のとおりである。
１．装置に（特に台を用いず）自立的に一体に設置することができる。
２．オペレータが常にお客を向いた姿勢で操作ができ、対面での接客性が向上する。
３．同一の姿勢のままで移動することなく、一連の操作を行なうことにより、作業を正確かつ迅速に行なうことができる。
４．カートを利用した会計が容易に行なえる。
５．商品管理用のハンディ型ＰＯＳ端末のスキャナより大型で読み取り性能の高い固定スキャナを用いるので、大量の商品を登録することができる。
６．商品管理用のハンディ型ＰＯＳ端末を拡張的にＰＯＳシステムに利用することができる。
７．現金ユニットを追加して、現金決済にも利用することができる。
８．ＩＣカードを用いて、キャッシュレス運用、ポイントカードサービスの運用ができる。
【図面の簡単な説明】
【００３４】
【図１】本発明の一実施の形態例を示す構成図である。
【図２】ハンディ型ＰＯＳ端末の外観構成例を示す図である。
【図３】ハンディ型ＰＯＳ端末の使用の態様を示す図である。
【図４】本発明の一実施の形態例の要部を示す構成図である。
【図５】本発明の運用例を示す図である。
【図６】本発明の電気的構成例を示すブロック図である。
【図７】従来システムの配置例を示す図である。
【符号の説明】
【００３５】
２０  ハンディ型ＰＯＳ端末
２２  レシートプリンタ
２３  キーボード
２４  タッチパネル・ディスプレイ
２５  スキャナ
３０  Ｌ字型支持機構
３２  自動釣銭・釣札機
４０  取り付け部
４１  カート
４２  お客
４３  カート  
【図１】
2005242727.tif 000003
【図２】
2005242727.tif 000004
【図３】
2005242727.tif 000005
【図４】
2005242727.tif 000006
【図５】
2005242727.tif 000007
【図６】
2005242727.tif 000008
【図７】
2005242727.tif 000009